(57)【特許請求の範囲】
【請求項１】
アセチレンガス，酸素ガスの流量をそれぞれ計測する質量式の流量計と、流量計に接続され不純物を捕捉するストレーナと、流量計が計測した流量をそれぞれ数字で発光表示する表示器とを備え、アセチレンガス，酸素ガスの流通配管がケーシングの内部で作業空間を介して相対して配置され、ストレーナのスクリーンの交換作業方向が作業空間側に設定されている流量表示装置。
【請求項２】
請求項１の流量表示装置において、ケーシングは底板，前板，後板で囲まれる本体部と側板，天板で囲まれる蓋部とからなり、アセチレンガス，酸素ガスの流通配管はケーシングの本体部に配設されていることを特徴とする流量表示装置。
【請求項３】
請求項２の流量表示装置において、ケーシングの蓋部は本体部の前板，後板よりも外方へ突出した庇形であることを特徴とする流量表示装置。
【請求項４】
請求項２または３の流量表示装置において、ケーシングの蓋部は天板の上に折畳み開放が可能な前カバー，後カバーが設けられていることを特徴とする流量表示装置。
【請求項５】
請求項２〜４のいずれかの流量表示装置において、表示器はケーシングの本体部の前板に配置され、酸素ガスの流通配管は流量調整器，圧力計が接続されてケーシングの本体部の前板に沿って配設され、流量調整器は操作部がケーシングの本体部の前板を貫通して外部に突出され、圧力計はケーシングの本体部の前板から目視可能であることを特徴とする流量表示装置。
【請求項６】
請求項２〜５のいずれかの流量表示装置において、表示器はケーシングの内部に収容されたバッテリで駆動され少なくとも発光表示の内容を記憶するメモリを有していることを特徴とする流量表示装置。
【発明の詳細な説明】
【技術分野】
【０００１】
本発明は、ガス圧接に使用されるアセチレンガス，酸素ガスの流量を表示する流量表示装置に係る技術分野に属する。
【背景技術】
【０００２】
ガス圧接では、アセチレンガス，酸素ガスの流量を目視で確認するために、アセチレンガスボンベ，酸素ガスボンベと加熱用トーチとの間に流量表示装置が設置される。流量表示装置としては、フロート式の流量計を利用したものが汎用されている。
【０００３】
フロート式の流量計を利用した流量表示装置は、アセチレンガス，酸素ガスを圧力調整器を介して透明なチューブの内部に導入し、チューブの内部を昇降浮動するフロートとチューブに表示された目盛とから、加熱用トーチに供給されるアセチレンガス，酸素ガスの流量を表示する。従って、圧力調整器の接続によって装置構成が大型重量化するとともに、フロートをチューブを介して透視するために目視によるアセチレンガス，酸素ガスの流量の表示の確認が困難になることがあるという不具合がある。また、水平設置しないとフロートのスムースな動作（即ち、精密な表示）が期待できないという不具合がある。
【０００４】
このため、装置構成が小型で目視によるアセチレンガス，酸素ガスの流量の表示の確認が容易な流量表示装置の開発が要望されている。
【０００５】
従来、装置構成の小型化を指向するものではないが、目視によるアセチレンガスの流量の表示の確認を容易にすることを指向した技術としては、例えば、以下に記載のものが知られている。
【特許文献１】特開２００２−９６１７９号公報
【０００６】
特許文献１には、アセチレンガスの流量を検出する流量センサにパイロットランプからなる表示用パネルを接続した流量表示装置が記載されている。
【０００７】
特許文献１に係る流量表示装置は、流量センサが検出したアセチレンガスの流量の不足状態，過剰状態を表示用パネルのパイロットランプの点滅で表示するものである。
【発明の開示】
【発明が解決しようとする課題】
【０００８】
特許文献１に係る流量表示装置では、アセチレンガス，酸素ガスの流量の表示がパイロットランプからなる表示用パネルで見やすい発光表示とされているものの、アセチレンガス，酸素ガスの流量の表示が正確，具体的でなくなってしまうという問題点がある。
【０００９】
この問題点を解消するためには、アセチレンガス，酸素ガスの流量を圧力調整器が不要な質量式の流量計で検出して、液晶等の表示器でアセチレンガス，酸素ガスの流量を数字で発光表示することが想到される。ただし、質量式の流量計には、不純物の流入を阻止するストレーナの接続が必要とされる。このため、前述の装置構成の小型化の要望に対応して流量計，表示器をコンパクトに集合させると、ストレーナのスクリーン（フィルタ）の交換が困難になるという新たな問題点が生じてしまうことになる。
【００１０】
本発明は、このような問題点を考慮してなされたもので、装置構成が小型軽量でストレーナのスクリーンの交換が容易で、水平設置が必要とされず、しかもアセチレンガス，酸素ガスの流量を正確，具体的に表示して目視によって容易に確認することのできる流量表示装置を提供することを課題とする。
【課題を解決するための手段】
【００１１】
前述の課題を解決するため、本発明に係る流量表示装置は、特許請求の範囲の各請求項に記載の手段を採用する。
【００１２】
即ち、本発明は、アセチレンガス，酸素ガスの流量をそれぞれ計測する質量式の流量計と、流量計に接続され不純物を捕捉するストレーナと、流量計が計測した流量をそれぞれ数字で発光表示する表示器とを備え、アセチレンガス，酸素ガスの流通配管がケーシングの内部で作業空間を介して相対して配置され、ストレーナのスクリーンの交換作業方向が作業空間側に設定されている。
【００１３】
この手段では、圧力調整器が不要な質量式の流量計と見やすい数字の発光表示の表示器とを備えることで、装置構成の大型化を避けるとともにアセチレンガス，酸素ガスの流量の表示が正確，具体的でなくなるのを避け、ケーシングの内部でのアセチレンガス，酸素ガスの相対した流通配管の間にストレーナのスクリーンの交換作業方向が設定される作業空間を確保することで、ストレーナのスクリーンの交換が困難になるのを避けている。
【００１４】
また、本発明においては、ケーシングは底板，前板，後板で囲まれる本体部と側板，天板で囲まれる蓋部とからなり、アセチレンガス，酸素ガスの流通配管はケーシングの本体部に配設されていることを特徴とする。
【００１５】
この手段では、作業空間がケーシングの本体部の内部に確保されケーシングの蓋部を取外すことによって側方，上方に開放される。
【００１６】
また、本発明においては、ケーシングの蓋部は本体部の前板，後板よりも外方へ突出した庇形であることを特徴とする。
【００１７】
この手段では、ケーシングの庇形の蓋部が日除け，雨除けの機能を果たす。
【００１８】
また、本発明においては、ケーシングの蓋部は天板の上に折畳み開放が可能な前カバー，後カバーが設けられていることを特徴とする。
【００１９】
この手段では、前カバー，後カバーがケーシングの本体部の前板，後板の防護板としての機能を果たす。
【００２０】
また、本発明においては、流量表示装置において、表示器はケーシングの本体部の前板に配置され、酸素ガスの流通配管は流量調整器，圧力計が接続されてケーシングの本体部の前板に沿って配設され、流量調整器は操作部がケーシングの本体部の前板を貫通して外部に突出され、圧力計はケーシングの本体部の前板から目視可能であることを特徴とする。
【００２１】
この手段では、表示器，圧力計を見ながら流量調整器を操作して、酸素ガスの流通量を調整することができる。
【００２２】
また、本発明においては、表示器はケーシングの内部に収容されたバッテリで駆動され少なくとも発光表示の内容を記憶するメモリを有していることを特徴とする。
【００２３】
この手段によると、ケーブル等による外部電源との接続を解除した後にも、表示器の発光表示の内容を保存することができる。
【発明の効果】
【００２４】
本発明に係る流量表示装置は、圧力調整器が不要な質量式の流量計と見やすい数字の発光表示の表示器とを備えることで、装置構成の大型化を避けるとともにアセチレンガス，酸素ガスの流量の表示が正確，具体的でなくなったり表示を確認することが困難になったりするのを避け、ケーシングの内部でのアセチレンガス，酸素ガスの相対した流通配管の間にストレーナのスクリーンの交換作業方向が設定される作業空間を確保することで、ストレーナのスクリーンの交換が困難になるのを避けているため、装置構成が小型軽量でストレーナのスクリーンの交換が容易で、水平設置が必要条件とされず、しかもアセチレンガス，酸素ガスの流量を正確，具体的に表示して目視によって容易に確認することができる効果がある。
【発明を実施するための最良の形態】
【００２５】
以下、本発明に係る流量表示装置を実施するための最良の形態を図面に基づいて説明する。
【００２６】
この形態では、鉄道用レールＲのガス圧接等のように屋外での使用に好適なものを示してある。
【００２７】
この形態は、ボックス形のケーシング１にコンパクトに収容された装置構成を備えている。
【００２８】
ケーシング１は、本体部１１，蓋部１２からなる。
【００２９】
ケーシング１の本体部１１は、底板１１ａ，前板１１ｂ，後板１１ｃで方形の空間を囲む断面コ字形（Ｕ字形）に形成されている。
【００３０】
ケーシング１の蓋部１２は、側板１２ａ，天板１２ｂ，前カバー１２ｃ，後カバー１２ｄで方形の空間を囲む断面コ字形（Ｕ字形）に形成され、止具（図示せず）で本体部１１に対して着脱可能になっている。側板１２ａ，天板１２ｂは、本体部１１の前板１１ｂ，後板１１ｃよりも外方へ突出した大きさで庇形になっている。天板１２ｂの中央部には、持上げ運搬用の取手１２ｅが取付けられている。天板１２の縁辺には、ヒンジ１２ｆで前カバー１２ｃ，後カバー１２ｄが開閉可能に取付けられている。前カバー１２ｃは、取手１２ｅを避ける窓１２ｇが設けられて天板１２ｂ上に折畳み開放が可能であるとともに、下端に９０度屈曲した支片１２ｈが設けられて本体部１１の前板１１ｂへの衝突が防止されるようになっている。後カバー１２ｄは、取手１２ｅを避ける窓１２ｇが設けられて天板１２ｂ上に折畳み開放が可能であるとともに、閉鎖状態で電気コード，ホース等を通過させる配線用窓１２ｉが設けられている。
【００３１】
ケーシング１の本体部１１の内部には、図１に示すように、アセチレンガスの流通配管２と酸素ガスの流通配管３とが配設されている。
【００３２】
アセチレンガスの流通配管２は、主にケーシング１の本体部１１の後板１１ｃに沿って配設されたパイプ等の配管部２１と、ケーシング１の本体部１１の後板１１ｃに固定されアセチレンガスのボンベＢａに接続されたホースが接続されるニップル等のインレット側接続具２２と、ケーシング１の本体部１１の前板１１ｂに固定され鉄道用レールＲを囲む異形の加熱用トーチＴに接続されたホースが接続されるカプラ等のアウトレット用接続具２３とからなる。
【００３３】
アセチレンガスの流通配管２の配管部２１の中途部には、アセチレンガスの流通の上流側からストレーナ４と質量式の流量計５とが接続されている。
【００３４】
ストレーナ４は、筒形のステンレスメッシュのスクリーン４１が内蔵されＹ形からなるもので、キャップ４２を回転して取外すことによってスクリーン４１を交換することができるようになっている。キャップ４２は、図４に示すように、ケーシング１の本体部１１の前板１１ｂの方向である斜め下方へ向いている。
【００３５】
質量式の流量計５は、アセチレンガスが分流される毛細管に上流側コイル，下流側コイルを取付けて、上流側コイル，下流側コイルの抵抗値の変化を電気信号として出力する熱方式のものからなる。
【００３６】
酸素ガスの流通配管３は、主にケーシング１の本体部１１の前板１１ｂに沿って配設されたパイプ等の配管部３１と、ケーシング１の本体部１１の後板１１ｃに固定され酸素ガスのボンベＢｂに接続されたホースが接続されるニップル等のインレット側接続具３２と、ケーシング１の本体部１１の前板１１ｂに固定され鉄道用レールＲを囲む異形の加熱用トーチＴに接続されたホースが接続されるカプラ等のアウトレット用接続具３３とからなる。
【００３７】
酸素ガスの流通配管３の配管部３１の中途部には、酸素ガスの流通の上流側からストレーナ４と質量式の流量計５と流量調整器６と圧力計７とが接続されている。
【００３８】
これ等のストレーナ４と質量式の流量計５とは、基本的にアセチレンガスの流通配管２の配管部２１に接続されたものと同一構造のものが選択される。なお、ストレーナ４のキャップ４２は、アセチレンガスの流通配管２の配管部２１に接続されたものと対称的に逆方向を向いている。
【００３９】
流量調整器６は、酸素ガスの流量を調整する流量調整弁構造の本体６１にダイヤル形の操作部６２が連結されている。操作部６２は、ケーシング１の本体部１１の前板１１ｂを貫通して外部に突出されている。
【００４０】
圧力計７は、流量調整器６で調整された酸素ガスの流通圧力を表示するもので、ケーシング１の本体部１１の前板１１ｂに設けられた窓等によって外部から目視が可能になっている。
【００４１】
ケーシング１の本体部１１の前板１１ｂには、アセチレンガス，酸素ガスの流量を数字でそれぞれ発光表示する表示器８が並列して取付けられている。この表示器８は、例えば、質量式の流量計５から出力された電気信号をデジタル変換して液晶画面に表示するものである。表示器８は、ケーシング１の内部に収容されたバッテリ９で駆動され発光表示の内容を記憶するメモリを有している。
【００４２】
バッテリ９は、ケーシング１の本体部１１の後板１１ｃとアセチレンガスの流通配管２との間に収容され、外部電源（交流電源）に接続される受電回路と充電回路とが接続され、外部電源に接続されなくても表示器８のメモリ以外の各部をも駆動することができるようになっている。なお、 ケーシング１の本体部１１の前板１１ｂには、バッテリ９の使用状態を表示するためのＬＥＤ等のランプ１０と、外部電源の使用状態を示すＬＥＤ等のランプ２０とが設けられている。
【００４３】
この形態によると、圧力調整器が不要な質量式の流量計５を採用しているため、装置構成を小型化することができる。また、見やすい数字の発光表示の表示器８を採用しているため、アセチレンガス，酸素ガスの流量を正確，具体的に表示して目視によって容易に確認することができる。また、水平設置が必要条件とされないため、設置場所に自由度が得られる。また、ケーシング１の本体部１１の前板１１ｂに配置されている圧力計７，表示器８を見ながら、流量調整器６の操作部６２を操作して酸素ガスの流量を調整することができるため、酸素ガスの流量を微調整することができるようになる。
【００４４】
また、アセチレンガスの流通配管２がケーシング１の本体部１１の後板１１ｃ側に配設され、酸素ガスの流通配管３がケーシング１の本体部１１の前板１１ｂ側に配設されて、両流通配管２，３の間に作業空間Ｓが確保されている。そして、ストレーナ４のキャップ４２が作業空間Ｓに向けられている。従って、ストレーナ４のスクリーン４１の交換を作業空間Ｓの内部で実行することができる。特に、ケーシング１の本体部１１から蓋部１２を取外すと、作業空間Ｓの側方，上方が開放されることになる。この結果、トレーナ４のスクリーン４１の交換が容易となる。
【００４５】
さらに、この形態では、ケーシング１の蓋部１２に前カバー１２ｃ，後カバー１２が設けられているため、搬送の際や屋外設置のガス圧接の作業前，作業後に前カバー１２ｃ，後カバー１２を閉鎖することで、ケーシング１の本体部１１の前板１１ｂ，後板１１ｃやこれ等に設けられている各部の衝突等による損傷を防止することができる。
【００４６】
また、ケーシング１の蓋部１２が本体部１に対して庇形で日除け，雨除けの機能を果たすことができるため、屋外設置に好適である。特に、表示器８が液晶画面からなる場合には、日除けの機能は有効である。
【００４７】
また、表示器８にバッテリ９で駆動され発光表示の内容を記憶するメモリが設けられているため、ケーブル等による外部電源との接続を解除した後にも、表示器８の発光表示の内容を保存することができ、電源に制約のある屋外での使用に好適となる。
【図面の簡単な説明】
【００４８】
【図１】本発明に係る流量表示装置を実施するための最良の形態の一部を取外した状態の平面図である。
【図２】図１の取外された一部を取付けようとする状態の斜視図であり、（Ａ）に一部が動作された前方矢視が示され，（Ｂ）に他の一部が動作された後方矢視が示されている。
【図３】図１の取外された一部を取付けた状態での正面図である。
【図４】図１の一部を省略した側面断面図である。
【符号の説明】
【００４９】
１            ケーシング
１１          本体部
１１ａ        底板
１１ｂ        前板
１１ｃ        後板
１２          蓋部
１２ａ        側板
１２ｂ        天板
１２ｃ        前カバー
１２ｄ        後カバー
２            流通配管（アセチレンガスの）
３            流通配管（酸素ガスの）
４            ストレーナ
４１          スクリーン
５            流量計（質量式の）
６            圧力調整器
６２          操作部
７            圧力計
８            表示器
９            バッテリ
Ｓ            作業空間
【図１】
0005072698.tif 000002
【図２】
0005072698.tif 000003
【図３】
0005072698.tif 000004
【図４】
0005072698.tif 000005